(57)【要約】【課題】スイッチを操作する操作ボタンの取付構造に関し、操作ボタンのがたつきを抑制する。【解決手段】スイッチを操作する操作ボタンの取付構造であって、スイッチ（５２）が設置される筐体（６）に設置する操作ボタン（通話ボタン１０、追いだきボタン１２、ふろ自動ボタン１４、運転ボタン１６）にヒンジ部（６６）が設けられ、このヒンジ部と筐体との間に跨がるパネル（８）が設置され、このパネルに備えられた接着部（９８）がヒンジ部と筐体との間に跨がらせて接着されるので、筐体と操作ボタンのヒンジ部とが接着部（９８）を介して固定されるとともに、操作ボタンがヒンジ部によって進退可能に支持されている。【選択図】図２
2008288053.tif 000002
【特許請求の範囲】
【請求項１】
スイッチを操作する操作ボタンの取付構造であって、
前記スイッチが設置される筐体と、
前記筐体に進退可能に支持させるヒンジ部を備える操作ボタンと、
前記筐体に設置されるパネルに備えられ、前記筐体に設置された前記操作ボタンの前記ヒンジ部の少なくとも一部と前記筐体とに跨がって接着して前記パネルを固定する接着部と、
を備えることを特徴とする、操作ボタンの取付構造。
【請求項２】
請求項１記載の操作ボタンの取付構造において、
前記筐体に前記ヒンジ部の一部をはめ込み、前記操作ボタンを位置決めする凹部を備えることを特徴とする、操作ボタンの取付構造。
【請求項３】
請求項１記載の操作ボタンの取付構造において、
前記筐体は、進退させる前記操作ボタンを支持するとともに、前記操作ボタンの押下によって移動し、前記操作ボタンの押下を解除した際に前記操作ボタンを押下前の位置に復帰させる作動アーム部を備えることを特徴とする、操作ボタンの取付構造。
【請求項４】
請求項１記載の操作ボタンの取付構造において、
前記筐体は、進退させる前記操作ボタンの押下位置に前記操作ボタンの押下を阻止するストッパを備えることを特徴とする、操作ボタンの取付構造。
【請求項５】
請求項１記載の操作ボタンの取付構造において、
前記筐体と前記操作ボタンとを噛み合わせる嵌合部を備え、前記筐体に対する前記操作ボタンの配置位置を特定することを特徴とする、操作ボタンの取付構造。
【請求項６】
請求項１記載の操作ボタンの取付構造において、
前記操作ボタンは、透明又は半透明のボタン本体を備えるとともに、前記ボタン本体の裏面部又は内面部に表示部を備えることを特徴とする、操作ボタンの取付構造。
【請求項７】
請求項１記載の操作ボタンの取付構造において、
前記パネルは、透明部又は半透明部を備え、前記筐体側にある光源の光を前記透明部又は半透明部から拡散させることを特徴とする、操作ボタンの取付構造。
【請求項８】
請求項３記載の操作ボタンの取付構造において、
前記作動アーム部は、前記操作ボタンの押下により前記スイッチを押下する突部を備えることを特徴とする、操作ボタンの取付構造。
【請求項９】
スイッチを操作する操作ボタンを備える操作盤であって、
請求項１、２、３、４、５、６、７又は８に記載の操作ボタンの取付構造を備えることを特徴とする操作盤。
【請求項１０】
スイッチを操作する操作ボタンを備えるリモコン装置であって、
請求項１、２、３、４、５、６、７又は８に記載の操作ボタンの取付構造を備えることを特徴とするリモコン装置。
【発明の詳細な説明】
【技術分野】
【０００１】
本発明は、感圧スイッチ等のスイッチを操作する操作ボタンの取付構造、特に、操作ボタンの取付構造を用いた操作盤及びリモコン装置に関する。
【背景技術】
【０００２】
高温多湿の環境下にある浴室等にはその環境に耐えるリモコン装置が必要であり、このようなリモコン装置には、筐体内に感圧スイッチ等が内蔵され、その操作機構には筐体外から押しボタンによってスイッチを操作する構造が用いられている。
【０００３】
このようなスイッチを操作する操作ボタンの取付構造に関し、特許文献１には、複数の操作ボタンを連結した、くしの歯状部材が外装カバーに熱溶着で加締め固定されることが開示されている。
【０００４】
また、特許文献２には、操作パネルのボタン孔にボタン本体を遊嵌させ、ボタン押え部材によってボタン本体を操作パネルに装着し、ボタン押え部材は透明樹脂によって一体成形され、樹脂の持つ弾性を利用してボタン本体を操作パネルに出没自在に支持し、ボタン本体の押圧操作によって感圧式スイッチを作動させることが開示されている。
【特許文献１】特開平１１−１７３６５６号公報（要約、図１）
【特許文献２】特開２００６−１００１５１号公報（要約、図１）
【発明の開示】
【発明が解決しようとする課題】
【０００５】
ところで、複数の操作ボタンを備えるリモコン装置等の機器にあっては、操作ボタンが隣接して設置され、特定の機能を操作ボタンによって選択する場合では、各操作ボタンにがたつきがあると、１つの操作ボタンを押下した場合、他の操作ボタンも追従して動き、ユーザに不快感を与える。
【０００６】
カバーとボタン押え部材とを溶着する構造では（特許文献１）、溶着処理に手間を要するだけでなく、製造コストを上昇させることになる。
【０００７】
また、ボタンをはさむだけの構造では（特許文献２）、遊嵌している操作ボタンのがたつきを抑えることができない。
【０００８】
このような課題について、特許文献１、２にはその開示はなく、その解決手段についても示唆されていない。
【０００９】
そこで、本発明の目的は、スイッチを操作する操作ボタンの取付構造に関し、操作ボタンのがたつきを抑制することにある。
【００１０】
斯かる目的を詳細に述べれば、操作ボタンの取付けの安定化を図り、複数の操作ボタンが併設されても、操作ボタンの押下操作が他の操作ボタンを移動させないような取付構造を実現することにある。
【００１１】
また、本発明の他の目的は、スイッチを操作する操作ボタンの取付構造に関し、操作ボタンの取付構造及びその取付工程の簡略化にある。
【００１２】
また、本発明の他の目的は、上記操作ボタンの取付構造を用いた操作盤又はリモコン装置を提供することにある。
【課題を解決するための手段】
【００１３】
そこで、上記目的を達成するため、本発明は、スイッチを操作する操作ボタンの取付構造であって、スイッチが設置される筐体に設置する操作ボタンにヒンジ部が設けられ、このヒンジ部と筐体との間に跨がるパネルが設置され、このパネルに備えられた接着部がヒンジ部と筐体との間に跨がらせて接着されるので、筐体と操作ボタンのヒンジ部とが接着部を介して固定されるとともに、操作ボタンがヒンジ部によって進退可能に支持されている。斯かる構造によって、上記の目的が達成され、筐体に複数の操作ボタンを併設する場合であっても、操作ボタン間に応力が作用することなく、操作ボタンが連動的に移動するといった不都合が回避される。
【００１４】
そこで、上記目的を達成するため、本発明の第１の側面は、スイッチを操作する操作ボタンの取付構造であって、前記スイッチが設置される筐体と、前記筐体に進退可能に支持させるヒンジ部を備える操作ボタンと、前記筐体に設置されるパネルに備えられ、前記筐体に設置された前記操作ボタンの前記ヒンジ部の少なくとも一部と前記筐体とに跨がって接着して前記パネルを固定する接着部とを備える構成である。斯かる構成により、上記目的を達成することができる。
【００１５】
上記目的を達成するためには、上記操作ボタンの取付構造において、好ましくは、前記筐体に前記ヒンジ部の一部をはめ込み、前記操作ボタンを位置決めする凹部を備える構成としてもよいし、前記筐体は、進退させる前記操作ボタンを支持するとともに、前記操作ボタンの押下によって移動し、前記操作ボタンの押下を解除した際に前記操作ボタンを押下前の位置に復帰させる作動アーム部を備える構成としてもよいし、前記筐体は、進退させる前記操作ボタンの押下位置に前記操作ボタンの押下を阻止するストッパを備える構成としてもよいし、前記筐体と前記操作ボタンとを噛み合わせる嵌合部を備え、前記筐体に対する前記操作ボタンの配置位置を特定する構成としてもよいし、前記操作ボタンは、透明又は半透明のボタン本体を備えるとともに、前記ボタン本体の裏面部又は内面部に表示部を備える構成としてもよいし、前記パネルは、透明部又は半透明部を備え、前記筐体側にある光源の光を前記透明部又は半透明部から拡散させる構成としてもよいし、前記作動アーム部は、前記操作ボタンの押下により前記スイッチを押下する突部を備える構成としてもよい。斯かる構成によっても、上記目的を達成することができる。
【００１６】
また、上記目的を達成するため、本発明の第２の側面は、スイッチを操作する操作ボタンを備える操作盤であって、上記操作ボタンの取付構造を備える構成である。斯かる構成により、上記目的を達成することができる。
【００１７】
また、上記目的を達成するため、本発明の第３の側面は、スイッチを操作する操作ボタンを備えるリモコン装置であって、上記操作ボタンの取付構造を備える構成である。斯かる構成により、上記目的を達成することができる。
【発明の効果】
【００１８】
本発明によれば、次の効果が得られる。
【００１９】
ａ．スイッチを操作する操作ボタンにヒンジ部を備え、このヒンジ部の一部と、操作ボタンを設置する筐体とを、パネルの接着部により接着して固定したので、操作ボタンがヒンジ部によって筐体に固定され、操作ボタンのがたつきを抑制することができる。
【００２０】
ｂ．このような固定構造であるので、複数の操作ボタンが併設されても、操作ボタンの押下操作が他の操作ボタンを移動させることがなく、各操作ボタンが安定した固定状態に維持される。
【００２１】
ｃ．操作ボタンの取付構造及びその取付工程の簡略化を図ることができる。
【００２２】
ｄ．筐体に操作ボタンのヒンジ部の一部をはめ込み、操作ボタンを位置決めする凹部を備えれば、凹部によって操作ボタンの配置位置が決定され、その位置精度を高めることができる。
【００２３】
ｅ．筐体に操作ボタンを進退自在に支持する作動アーム部を備える構成とすれば、操作ボタンが作動アーム部によって支持され、操作ボタンの押下及び自動復帰を行うことができる。
【００２４】
ｆ．筐体に操作ボタンの押下位置に押下を阻止するストッパを備える構成とすれば、操作ボタンを過剰に押下させることを防止できる。
【００２５】
ｇ．筐体と操作ボタンとを噛み合わせる嵌合部を備え、筐体に対する操作ボタンの配置位置を特定する構成とすれば、複数の操作ボタンを配置する場合に、操作ボタンの配置位置が容易に決定され、配置位置の間違いを防止できる。
【００２６】
ｈ．操作ボタンに透明又は半透明のボタン本体を備え、ボタン本体の裏面部又は内面部に表示部を備える構成とすれば、表示部の内容を操作ボタン上から視認することができる。
【００２７】
ｉ．パネルは透明部又は半透明部を備え、筐体側にある光源の光を透明部又は半透明部から拡散させる構成とすれば、パネル面を背面の光源によって照光することができる。
【００２８】
ｊ．作動アーム部は、操作ボタンの押下によりスイッチを押下する突部を備える構成とすれば、操作ボタンの押下によりスイッチに突部から応力を集中させることができ、スイッチの操作精度が高められる。
【発明を実施するための最良の形態】
【００２９】
本発明の操作ボタンの取付構造を適用したリモコン装置について、図１を参照する。図１は、全自動風呂給湯器のリモコン装置の一例を示す斜視図である。
【００３０】
このリモコン装置２は、本発明の操作ボタンの取付構造、操作盤又はリモコン装置の一例である。このリモコン装置２は、浴室内に設置されるいわゆる浴室リモコンであって、浴室の壁面４に設置されている。
【００３１】
このリモコン装置２には、筐体６の前面部にパネル、化粧部材又は指示部材としてパネル８が設置され、本発明に係る操作ボタンが適用された通話ボタン１０、追いだきボタン１２、ふろ自動ボタン１４、運転ボタン１６が設置されている。また、パネル８の中央には、画面表示部１８、予約表示部２０、燃焼表示部２２、高温注意表示部２４、メニューボタン２６、放音孔２８、ぬるく指示ボタン３０、たし湯指示ボタン３２、予約指示ボタン３４、給湯上ボタン３６、給湯下ボタン３８、優先ボタン４０が配置されている。
【００３２】
次に、リモコン装置２の筐体６、パネル８及びその内部構造について、図２、図３及び図４を参照する。図２は、図１のII−II線断面図、図３は、筐体６の分解斜視図、図４は、筐体６の分解断面図である。図２、図３及び図４において、図１と同一部分には同一符号を付してある。
【００３３】
筐体６には、図２、図３及び図４に示すように、第１の筐体部として前面筐体部４２、第２の筐体部として中間筐体部４４、第３の筐体部として背面筐体部４６を備えている。前面筐体部４２は、通話ボタン１０、追いだきボタン１２、ふろ自動ボタン１４、運転ボタン１６等を固定する固定部材を構成する。中間筐体部４４は背面筐体部４６に固定されるとともに、前面筐体部４２の内部に挿入される。中間筐体部４４と前面筐体部４２との間には防水シート４７（図２）が設置されている。筐体６は、合成樹脂で形成されている。筐体６は背面筐体部４６を壁面４にねじ等で固定することにより、壁面４に取り付けられる。
【００３４】
中間筐体部４４と背面筐体部４６とで構成される密閉空間部４８（図２）には、回路基板５０が設置されているとともに、回路基板５０には操作ボタンである追いだきボタン１２で操作されるスイッチ５２、ＬＣＤ（Liquid Crystal Display）５４等が設置されている。スイッチ５２は例えば、感圧スイッチで構成される。回路基板５０には図示しないが、通話ボタン１０、ふろ自動ボタン１４、運転ボタン１６で操作される同様のスイッチが設置されている。
【００３５】
パネル８には、通話ボタン１０、追いだきボタン１２、ふろ自動ボタン１４を露出させる第１の窓部５６、運転ボタン１６を露出させる第２の窓部５８等が形成され、画面表示部１８に対応する透明な表示窓部６０が形成されている。パネル８は例えば、アクリル板で形成されている。
【００３６】
次に、操作ボタンの固定及び作動アームについて、図５、図６及び図７を参照する。図５は、通話ボタン１０、追いだきボタン１２、ふろ自動ボタン１４及び前面筐体部４２の作動アーム部を示す分解斜視図、図６は、作動アーム部を背面側から見て示した斜視図、図７は、操作ボタンの縦断面図である。図５、図６及び図７において、図１ないし図４と同一部分には同一符号を付してある。
【００３７】
通話ボタン１０、追いだきボタン１２又はふろ自動ボタン１４は操作ボタンの一例であって、透明なアクリル樹脂等で形成されたボタン本体６２を備えており、このボタン本体６２は偏平な直方体に形成され、その背面側の縁部にはフランジ部６４が形成されている。このフランジ部６４によってパネル８の窓部５６からの飛び出しが防止される。
【００３８】
また、ボタン本体６２の背面には印刷によって表示部６３（図７）が形成され、この表示部６３の内面側に形成された文字がボタン本体６２の上面側から視認可能である。この表示部６３により、操作ボタンが通話ボタン１０、追いだきボタン１２又はふろ自動ボタン１４として峻別される。
【００３９】
また、ボタン本体６２の長辺側の縁部には前面筐体部４２にボタン本体６２を支持させるためのヒンジ部６６が形成されている。この実施の形態のヒンジ部６６は、ボタン本体６２の長辺側の縁部に形成されて平行に突出するアーム部６８、７０と、アーム部６８、７０間を橋絡する固定部７２とで構成され、アーム部６８、７０及び固定部７２で包囲された係合孔７４とを備えている。固定部７２は、アーム部６８、７０の先端側にボタン本体６２の長辺と平行に形成されている。ボタン本体６２の背面は平坦面であり、アーム部６８、７０はボタン本体６２の背面を延長した同一幅の平板状であって、固定部７２もボタン本体６２の背面と同一面からなる平坦面部を備えている。この実施の形態では、ボタン本体６２とアーム部６８、７０とを同一面としているが、異なる面に形成してもよい。この場合、固定部７２はアーム部６８、７０の取付け幅より長く形成されている。
【００４０】
前面筐体部４２には通話ボタン１０、追いだきボタン１２及びふろ自動ボタン１４を前面筐体部４２の厚み方向に進退可能に設置するための窓部７６が形成され、この実施の形態では、窓部７６は通話ボタン１０、追いだきボタン１２及びふろ自動ボタン１４に対応して単一である。前面筐体部４２の窓部７６の下側の縁部にはボタン本体６２の押下限界を表すとともに押下を阻止するストッパ７７が形成され、また、窓部７６の上側の縁部にはボタン本体６２のヒンジ部６６の固定部７２が挿入される凹部７８が形成されているとともに、この凹部７８に隣接してヒンジ部６６の係合孔７４に挿入される係合突部８０が形成されている。この凹部７８は固定部７２より僅かに大きい相似形であり、また、係合突部８０は、係合孔７４より小さく形成されており、凹部７８に固定部７２を嵌合させれば、ボタン本体６２が固定位置に位置決めされる。
【００４１】
前面筐体部４２の窓部７６には、係合突部８０を包囲するように窓部７６の縁部から突出させたコ字形の作動アーム部８２が形成され、この作動アーム部８２はボタン本体６２の背面部に当たってボタン本体６２を支持する。この作動アーム部８２にはボタン本体６２の背面に当接させる突部８６が形成されている。作動アーム部８２は例えば、合成樹脂により、前面筐体部４２と一体に形成されて弾性を備えており、前面筐体部４２にボタン本体６２を支持するとともに、前記操作ボタンの押下によって移動し、前記操作ボタンの押下を解除した際にボタン本体６２を押下前の位置に復帰させる。
【００４２】
また、この実施の形態では、通話ボタン１０、追いだきボタン１２及びふろ自動ボタン１４の位置が決められており、斯かる位置を機械的に選定可能にするため、前面筐体部４２の各凹部７８には嵌合部８８の嵌合突部９０が形成され、この嵌合突部９０が挿入可能な嵌合部８８の嵌合孔９２を通話ボタン１０、追いだきボタン１２及びふろ自動ボタン１４の固定部７２に備え、嵌合突部９０と嵌合孔９２とを以て固定位置を識別可能に構成しているので、通話ボタン１０、追いだきボタン１２及びふろ自動ボタン１４の固定位置が決められている。このため、通話ボタン１０、追いだきボタン１２及びふろ自動ボタン１４を間違えて装着することがない。この場合、嵌合部８８は、固定部７２側に嵌合突部９０、凹部７８側に嵌合凹部を形成してもよい。
【００４３】
また、作動アーム部８２の背面側には図６に示すように、中間筐体部４４にある操作子９４（図４、図１０）に対応する位置に突部９６が突設され、この突部９６がボタン本体６２の押下に応じて作動アーム部８２とともに移動し、操作子９４を押下させ、これによりスイッチ５２が操作される。
【００４４】
次に、パネル８及びその接着構造について、図８及び図９を参照する。図８は、パネル８の裏面（接着面）側に形成された接着部を示す図、図９は、パネル８の接着構造を示し、Ａは、操作ボタン部分から示した部分斜視図、Ｂは、ＡのIXB −IXB 線断面図である。図８及び図９において、図１ないし図７と同一部分には同一符号を付してある。
【００４５】
パネル８は、前面筐体部４２の前面に設置され、通話ボタン１０、追いだきボタン１２及びふろ自動ボタン１４を前面筐体部４２に固定する固定手段であって、このパネル８の裏面側には、前面筐体部４２に設置された通話ボタン１０、追いだきボタン１２及びふろ自動ボタン１４のヒンジ部６６の少なくとも一部、この実施の形態では、図８及び図９に示すように、固定部７２と前面筐体部４２とに跨がって接着される部分を含む接着部９８が形成されている。接着部９８は接着剤として例えば、両面接着シート１００が形成され、図８において、斜線部が両面接着シート１００を示している。
【００４６】
両面接着シート１００により、パネル８は、前面筐体部４２の前面に貼着されて固定されるが、その際、通話ボタン１０、追いだきボタン１２及びふろ自動ボタン１４のヒンジ部６６の固定部７２と、固定部７２がはめ込まれた凹部７８の周囲部とに接着固定されるので、通話ボタン１０、追いだきボタン１２及びふろ自動ボタン１４のヒンジ部６６と前面筐体部４２との間にパネル８が跨がって固定される。即ち、通話ボタン１０、追いだきボタン１２及びふろ自動ボタン１４のヒンジ部６６にパネル８が固定されるとともに、図９のＢに示すように、両面接着シート１００及びパネル８を介して前面筐体部４２に各ヒンジ部６６の固定部７２が固定されている。
【００４７】
次に、運転ボタン１６の取付構造について、図１０を参照する。図１０は、運転ボタン１６の取付構造の一例を示す分解斜視図である。図１０において、図１ないし図９と同一部分には同一符号を付してある。
【００４８】
運転ボタン１６は、通話ボタン１０、追いだきボタン１２及びふろ自動ボタン１４と同様の取付構造であって、ボタン本体６２が備えられ、ヒンジ部６６が形成されているとともに、係合孔７４が形成されている。通話ボタン１０、追いだきボタン１２及びふろ自動ボタン１４の場合と異なるのは、作動アーム部８２が単一のアームシャフト１０２で構成されている。パネル８には窓部５８が形成され、ボタン本体６２に形成されているフランジ部６４によって窓部５８からのボタン本体６２の離脱が防止されている。中間筐体部４４にはスイッチを操作するための操作子９４が形成され、この操作子９４のボス部１０４に突部８６が当接されている。その他の構成は、通話ボタン１０、追いだきボタン１２及びふろ自動ボタン１４と同様であるので、同一符号を付し、その説明を省略する。
【００４９】
上記の通り構成されたリモコン装置２のスイッチ操作について、図１１を参照する。図１１は、リモコン装置２のスイッチ操作を示す図であり、Ａは、操作ボタンの押下前又は押下解除状態を示す図、Ｂは、その押下状態を示す図である。図１１において、図１ないし図９と同一部分には同一符号を付してある。
【００５０】
図１１のＡに示すように、通話ボタン１０、追いだきボタン１２、ふろ自動ボタン１４又は運転ボタン１６は、押下前、垂直状態に維持されるが、図１１のＢに示すように、指により押下されると、ボタン本体６２のヒンジ部６６が合成樹脂が持つ柔軟性によって撓み、ボタン本体６２の中心部が前面筐体部４２の作動アーム部８２を押し、柔軟性を持つ防水シート４７を介して中間筐体部４４の操作子９４が押され、スイッチ５２が操作される。
【００５１】
また、指をボタン本体６２から離し又は押下を解除すると、ボタン本体６２のヒンジ部６６の合成樹脂が持つ剛性により、図１１のＡに示すように、押下前の位置に復帰させることができる。この場合、防水シート４７及び操作子９４も、押下の解除により、素材が持つ柔軟性により、押下前の位置に復元する。
【００５２】
以上述べた実施の形態について、特徴事項や利点等を列挙して説明する。
【００５３】
(1) リモコン装置２では、ボタン本体６２は、前面筐体部４２の窓部７６及びパネル８の窓部５６に進退可能に嵌め込まれ、そのヒンジ部６６は前面筐体部４２の凹部７８に嵌合されてパネル８の接着部９８を以て固定されているのでがたつきがなく、複数の操作ボタンとして通話ボタン１０、追いだきボタン１２、ふろ自動ボタン１４が隣接して配置されていても、１つの押下が他のものに波及することがない。安定した固定状態が維持できる。
【００５４】
(2) ボタン本体６２は透明又は半透明の樹脂材で形成でき、ボタン本体６２の操作面の裏面には一部分を半透明としたボタン照光部として銘板等の表示部６３を印刷によって形成でき、ボタン本体６２の機能や操作を明示することができる。
【００５５】
(3) パネル８の半透明部は、回路基板５０に設置する光源の光を散光させることができる。
【００５６】
(4) ヒンジ部６６に対応し、各種制御や起動・停止等に用いるスイッチ５２を押圧する作動アーム部８２が設けられ、この作動アーム部８２は、通話ボタン１０、追いだきボタン１２、ふろ自動ボタン１４の場合、弾性を有する程度の幅を持たせたコの字形状に形成したので、ボタン本体６２の支持面積を大きく取ることができ、支持精度を高めることができる。
【００５７】
(5) スイッチ５２が設置された回路基板５０は背面筐体部４６に設置され、この背面筐体部４６には中間筐体部４４が被せられて密封されるとともに、この中間筐体部４４には前面筐体部４２が被せられており、しかも、前面筐体部４２と背面筐体部４６は中間筐体部４４を内包するように包囲しているので、図２に示すように、気密性の高い外装構造が実現され、防水構造となっている。
【００５８】
(6) 回路基板５０には複数の光源を設置し、中間筐体部４４の内部から前面筐体部４２側のパネル８に向けて光を照射し、光による表示を行っており、表示の視認性が高められている。
【００５９】
(7) 予約表示部２０、燃焼表示部２２、高温注意表示部２４は、パネル８に選択的に透光部を形成したものであり、回路基板５０に設置された予約表示用のランプ、燃焼表示用のランプ、高温注意表示用のランプの光照射により、必要な表示を行うことができる。
【００６０】
(8) 画面表示部１８には、メニューボタン２６の１回の押下又は繰り返しの押下により、予め設定されているふろ温度、保温時間、ふろ水位、現在時刻、音量、給湯温度等を表示させることができる。
【００６１】
(9) 操作状態は、スピーカを駆動し、放音孔２８より音声ガイダンスを出力させることができる。
【００６２】
(10)  また、このリモコン装置２では、パネル８と前面筐体部４２との間にボタン本体６２を挟み込んで装着する構造であるため、背面筐体部４６にスイッチ５２、ＬＣＤ５４を実装した回路基板５０をビス止めし、背面筐体部４６と中間筐体部４４とを合わせ、ワイヤーを溶着する。浴室リモコンの場合には防水性を高めるため、中間筐体部４４の上に防水シート４７を設置しているが、要求される防水性が低い場合には不要である。そして、中間筐体部４４に被せた前面筐体部４２を背面筐体部４６に固定して組立品となる。
【００６３】
(11)  パネル８は光透過性の樹脂に部分的に光遮蔽部を形成し、その裏面に予約、燃焼、高温注意、設定、ぬるく、たし湯、優先、上、下、ふろ、給湯、ふろ温度、保温時間、ふろ水位、現在時刻、音量等の表示文字が印刷されており、これらは裏面に印刷しているため、直接触れることがなく、文字が消えることがない。
【００６４】
(12)  組立てについては、ボタン本体６２のヒンジ部６６を前面筐体部４２の凹部７８に合わせて載せ、ボタン本体６２のボタン中心部と前面筐体部４２の作動アーム部８２の突部８６との位置を合わせ、その上からパネル８の窓部５６をボタン本体６２を潜らせて前面筐体部４２に載せる。パネル８の裏面は粘着剤付となっているので、パネル８の裏面と前面筐体部４２とを接着して組み立てる。ボタン本体６２のヒンジ部６６をパネル８の裏面に接着固定することで、位置ずれや、がたつきを防止できる。
【００６５】
(13)  操作ボタン毎に違う位置に位置決め孔として嵌合孔９２が設置されており、その位置に所定のボタン本体６２が設置されるので、通話ボタン１０、追いだきボタン１２又はふろ自動ボタン１４の位置の取り違いを防止できる。
【００６６】
(14)  ボタン本体６２の表示部は、ボタン本体内部に形成してもよい。
【００６７】
(15)  上記実施の形態では、リモコン装置２について説明したが、各種スイッチを備える操作盤であってもよく、本発明は、上記実施の形態のリモコン装置２に限定されるものではない。
【００６８】
以上説明したように、本発明の最も好ましい実施の形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【００６９】
本発明は、感圧スイッチ等のスイッチを操作する操作ボタンの取付構造、特に、操作ボタンの取付構造を用いた操作盤及びリモコン装置に関し、スイッチを操作する操作ボタンにヒンジ部を備え、このヒンジ部の一部と、操作ボタンを設置する筐体とを、パネルの接着部により接着して固定したので、操作ボタンがヒンジ部によって筐体に固定され、操作ボタンのがたつきを抑制することができ、複数の操作ボタンが併設されても、操作ボタンの押下操作が他の操作ボタンを移動させることがなく、各操作ボタンが安定した固定状態に維持される等、有用である。
【図面の簡単な説明】
【００７０】
【図１】全自動風呂給湯器のリモコン装置の一例を示す斜視図である。
【図２】図１のII−II線断面図である。
【図３】リモコン装置を示す分解斜視図である。
【図４】リモコン装置を示す分解断面図である。
【図５】操作ボタン及び筐体の固定部分を示す斜視図である。
【図６】作動アーム部を背面側から見て示した図である。
【図７】操作ボタンの一部を切り欠いて示した図である。
【図８】パネルの裏面側に形成された接着部を示す図である。
【図９】パネルの接着構造を示す図である。
【図１０】運転ボタンの取付構造部分を示す分解斜視図である。
【図１１】操作ボタンの押下及びその解除を示す図である。
【符号の説明】
【００７１】
２  リモコン装置
６  筐体
８  パネル
１０  通話ボタン（操作ボタン）
１２  追いだきボタン（操作ボタン）
１４  ふろ自動ボタン（操作ボタン）
１６  運転ボタン（操作ボタン）
４２  前面筐体部
４４  中間筐体部
４６  背面筐体部
５２  スイッチ
６２  ボタン本体
６６  ヒンジ部
７７  ストッパ
７８  凹部
８２  作動アーム部
８８  嵌合部
９８  接着部
【図１】
2008288053.tif 000003
【図２】
2008288053.tif 000004
【図３】
2008288053.tif 000005
【図４】
2008288053.tif 000006
【図５】
2008288053.tif 000007
【図６】
2008288053.tif 000008
【図７】
2008288053.tif 000009
【図８】
2008288053.tif 000010
【図９】
2008288053.tif 000011
【図１０】
2008288053.tif 000012
【図１１】
2008288053.tif 000013